(57)【特許請求の範囲】
【請求項１】
左右方向に間隔をおいて配置された複数の縦鉄骨と、
これら複数の縦鉄骨の屋外側に設けられた耐火ボードと、
この耐火ボードの屋外側に設けられた断熱ボードと、
この断熱ボードの屋外側に設けられた外壁と、
前記外壁と前記断熱ボードとを前記縦鉄骨に固定する留め具と
を備え、
前記留め具は、前記縦鉄骨に固定される固定部と、前記断熱ボード及び前記外壁を固定するための留め具本体とを備え、前記耐火ボードの表面上に配置されて固着具を介して前記縦鉄骨に固定されており、
前記耐火ボードは、
縦鉄骨の屋外側において互いに突き合わせた状態で同一平面上に設けられた複数の第一矩形板と、
前記第一矩形板の屋外側面に重ねられ、それぞれが互いに突き合わせられた複数の第二矩形板と
を備え、
前記各第二矩形板は、前記第一矩形板と同じ構造であり、
上下方向に並ぶ前記第一矩形板同士の横継ぎ目である全ての第一横継ぎ目は、上下方向に並ぶ前記第二矩形板同士の横継ぎ目である全ての第二横継ぎ目とは上下方向にずれており、
前記外壁は、複数の横張り外壁材が上下方向に突き合わせられて構成され、
上下方向に突き合わせられた前記横張り外壁材同士の全ての横継ぎ目は、前記全ての第二横継ぎ目に対して上下方向にずれており、
前記横張り外壁材同士の全ての横継ぎ目は、前記全ての第一横継ぎ目に対しても上下方向にずれており、
前記第一矩形板および前記第二矩形板は、上下長さが前記横張り外壁材の働き幅の２倍であり、
前記第一横継ぎ目と前記第二横継ぎ目は、上下方向に、前記働き幅と同じ長さずれており、
前記横張り外壁材の働き幅の両端は、前記第一横継ぎ目と前記第二横継ぎ目との間の中央に位置しており、
前記断熱ボードは、上下方向に突き合わされて複数配置され、前記断熱ボード同士の全ての横継ぎ目は、前記全ての第一横継ぎ目と前記全ての第二横継ぎ目と前記横張り外壁材同士の全ての横継ぎ目とに対して上下方向にずれている
ことを特徴とする鉄骨造の外壁耐火断熱構造。
【請求項２】
前記外壁と前記断熱ボードとの間には、外気と通じる通気隙間が形成されている
ことを特徴とする請求項１記載の鉄骨造の外壁耐火断熱構造。
【請求項３】
前記第一矩形板同士の縦継ぎ目である第一縦継ぎ目が前記縦鉄骨に重ねられている一方、前記第二矩形板同士の縦継ぎ目である全ての第二縦継ぎ目が前記全ての第一縦継ぎ目に重ねられた前記縦鉄骨とは別の縦鉄骨に重ねられている
ことを特徴とする請求項１又は２に記載の鉄骨造の外壁耐火断熱構造。
【請求項４】
前記第一横継ぎ目が全長に亙って金属テープによって覆われている
ことを特徴とする請求項１〜３のいずれか一項に記載の鉄骨造の外壁耐火断熱構造。
【請求項５】
前記第一矩形板及び前記第二矩形板の厚みがいずれも１５ｍｍである
ことを特徴とする請求項１〜４のいずれか一項に記載の鉄骨造の外壁耐火断熱構造。
【請求項６】
前記第二横継ぎ目を跨ぐようにして前記第二矩形板に固定された横長補強材が設けられている
ことを特徴とする請求項１〜５のいずれか一項に記載の鉄骨造の外壁耐火断熱構造。
【発明の詳細な説明】
【技術分野】
【０００１】
本発明は、鉄骨造の外壁耐火断熱構造に関する。
【背景技術】
【０００２】
近年、耐火構造を有する外壁を備えた建築物が求められている。この種の建築物として、複数の鉄骨の屋外側に一対の石膏ボードが設けられ、さらに、これら石膏ボードの外側に留め具を介して外壁材が取り付けられた外壁構造を備えたものがある。
【０００３】
このような外壁構造では、さらに断熱性能を具備するのが好ましい。その場合、例えば特許文献１に示す外壁構造のように、鉄骨間にグラスウールやロックウール等の断熱材を配設するのが一般的である。
【先行技術文献】
【特許文献】
【０００４】
【特許文献１】特開２０１４−６６０１６号公報
【発明の概要】
【発明が解決しようとする課題】
【０００５】
上記外壁構造では、石膏ボードによって耐火性能を担保することができる。また、鉄骨間に断熱材を配設することによって鉄骨間領域の断熱性能を担保することもできる。
【０００６】
しかしながら、鉄骨に位置する領域には断熱材が保持されていないので、屋外又は屋内から鉄骨に伝導する熱については、断熱することができないという問題があった。特に、鉄骨は木材に比べて熱伝導率が高いため、鉄骨に伝導した熱が室内に与える影響は大きかった。
【０００７】
本発明は、上記事情に鑑みてなされたものであり、その目的とするところは、鉄骨造の建築物において高い断熱性能を保持することができる外壁耐火断熱構造を提供することにある。
【課題を解決するための手段】
【０００８】
本発明の鉄骨造の外壁耐火断熱構造は、左右方向に間隔をおいて配置された複数の縦鉄
骨と、この複数の縦鉄骨の屋外側に設けられた耐火ボードと、この耐火ボードの屋外側に設けられた断熱ボードと、この断熱ボードの屋外側に設けられた外壁と、前記外壁と前記断熱ボードとを前記縦鉄骨に固定する留め具とを備え、前記留め具は、前記縦鉄骨に固定される固定部と、前記断熱ボード及び前記外壁を固定するための留め具本体とを備え、前記耐火ボードの表面上に配置されて固着具を介して前記縦鉄骨に固定されており、前記耐火ボードは、縦鉄骨の屋外側において互いに突き合わせた状態で同一平面上に設けられた複数の第一矩形板と、前記第一矩形板の屋外側面に重ねられ、それぞれが互いに突き合わせられた複数の第二矩形板とを備え、前記各第二矩形板は、前記第一矩形板と同じ構造であり、上下方向に並ぶ前記第一矩形板同士の横継ぎ目である全ての第一横継ぎ目は、上下方向に並ぶ前記第二矩形板同士の横継ぎ目である全ての第二横継ぎ目とは上下方向にずれており、前記外壁は、複数の横張り外壁材が上下方向に突き合わせられて構成され、上下方向に突き合わせられた前記横張り外壁材同士の全ての横継ぎ目は、前記全ての第二横継ぎ目に対して上下方向にずれており、前記横張り外壁材同士の全ての横継ぎ目は、前記全ての第一横継ぎ目に対しても上下方向にずれており、前記第一矩形板および前記第二矩形板は、上下長さが前記横張り外壁材の働き幅の２倍であり、前記第一横継ぎ目と前記第二横継ぎ目は、上下方向に、前記働き幅と同じ長さずれており、前記横張り外壁材の働き幅の両端は、前記第一横継ぎ目と前記第二横継ぎ目との間の中央に位置しており、前記断熱ボードは、上下方向に突き合わされて複数配置され、前記断熱ボード同士の全ての横継ぎ目は、前記全ての第一横継ぎ目と前記全ての第二横継ぎ目と前記横張り外壁材同士の全ての横継ぎ目とに対して上下方向にずれていることを特徴とする。
【発明の効果】
【０００９】
本発明の鉄骨造の外壁耐火断熱構造によれば、鉄骨造の建築物において高い断熱性能を保持することができる。
【図面の簡単な説明】
【００１０】
【図１】本実施形態に係る鉄骨造の外壁耐火断熱構造の要部断面図である。
【図２】本実施形態に係る鉄骨造の外壁耐火断熱構造において、縦鉄骨に第一矩形板を配置した状態の斜視図である。
【図３】本実施形態に係る鉄骨造の外壁耐火断熱構造において、第二矩形板を配置した状態の斜視図である。
【図４】本実施形態に係る鉄骨造の外壁耐火断熱構造において、耐火ボードの表面に留め具を固定した状態の斜視図である。
【図５】本実施形態に係る鉄骨造の留め具の分解斜視図である。
【図６】本実施形態に係る鉄骨造の外壁耐火断熱構造において、断熱ボードを取り付けた状態の斜視図である。
【図７】本実施形態に係る鉄骨造の外壁耐火断熱構造において、横張り外壁材を取り付けた状態の斜視図である。
【図８】本実施形態に係る鉄骨造の外壁耐火断熱構造において、横張り外壁材と、第一横継ぎ目と第二横継ぎ目との関係を示す断面図である。
【図９】本実施形態の変形例に係る留め具の一部を示す斜視図である。
【図１０】本実施形態の変形例に係る留め具を耐火ボードの表面に固定した状態の斜視図である。
【図１１】本実施形態の変形例に係る留め具を耐火ボードの表面に固定した状態の断面図である。
【図１２】本実施形態に係る鉄骨造の外壁耐火断熱構造において、横長補強材を取り付けた状態の斜視図である。
【図１３】本実施形態に係る鉄骨造の外壁耐火断熱構造において、横長補強材を取り付けた状態の断面図である。
【発明を実施するための形態】
【００１１】
以下、本発明の実施形態について添付図面に基づいて説明する。
【００１２】
本実施形態に係る鉄骨造の外壁耐火断熱構造（以下、外壁構造という）は、図１に示すように、縦鉄骨１と、耐火ボード２と、断熱ボード４と、外壁３と、断熱ボード４及び外壁３を固定する留め具５とを備えている。
【００１３】
各縦鉄骨１は、図２に示すように、上下方向に延びており、鉛直な鉄骨体である。縦鉄骨１は、例えば、Ｃ型鋼や、角パイプ等の軽量鉄骨によって構成される（本実施形態の外壁構造では、Ｃ型鋼によって構成される）。本実施形態の縦鉄骨１は縦胴縁である。なお、縦鉄骨１は、柱や間柱であってもよく、縦胴縁に限定されない。
【００１４】
複数の縦鉄骨１は、左右方向に一定の間隔をおいて（つまり、等ピッチで）配置されている。縦鉄骨１は、屋外側に臨む屋外側縦面１１を有している。この屋外側縦面１１は鉛直な平面であり、各縦鉄骨１の屋外側縦面１１が同一平面上に位置している。なお、縦鉄骨１は、左右方向に間隔をおいて配置されていればよく、等ピッチである必要はない。この屋外側縦面１１には、耐火ボード２が接触するようにして配置される。
【００１５】
耐火ボード２は、図１に示すように、縦鉄骨１の屋外側に設けられている。耐火ボード２は、耐火性を有している。耐火ボード２は、縦鉄骨１に沿って配置されており、固着具（例えば、ねじや釘）を介して縦鉄骨１に固定されている。この耐火ボード２は、２枚の矩形板を重ねることで構成されている（屋内側の矩形板を第一矩形板２１とし、屋外側の矩形板を第二矩形板２４とする）。耐火ボード２は、このように２枚の矩形板を重ねて、所定厚さとなるように構成されているため、扱いやすい比較的軽量な矩形板を用いることができる。従って、運搬性や施工性を向上させることができる。
【００１６】
各第一矩形板２１は、図２に示すように、上下方向に幅を有し、左右方向に長さを有し、正面視矩形状をしている。各第一矩形板２１は、上下方向および左右方向に隣接する他の第一矩形板２１に突き合わせるようにして配置される。複数の第一矩形板２１は、同一平面上に位置している。
【００１７】
第一矩形板２１は、石膏ボードによって構成されている。この石膏ボードとしては、例えば、ＪＩＳ  Ａ  ６９０１で規定される強化石膏ボードが用いられる。さらに、石膏ボードには、撥水剤などにより防水加工が施されていることが好ましい。これにより、雨水や湿気などによって、石膏ボードの強度や耐久性などが低下するのを抑制することができる。なお、第一矩形板２１は、耐火性を有していればよく、石膏ボードでなくてもよい。第一矩形板２１は、例えば、珪酸カルシウム板，セメント板などであってもよい。
【００１８】
第一矩形板２１は所定の厚さを有している。第一矩形板２１の厚さは、外壁構造として必要な耐火性能に応じて決定される。第一矩形板２１の厚さは、例えば、１５〜２７ｍｍとするのが好ましく、１５ｍｍとするのがより好ましい。また、第一矩形板２１の大きさは、例えば、幅が６００〜１２２０ｍｍ，長さが１２００〜３０３０ｍｍとするのが好ましい。特に、第一矩形板２１の長さは、縦鉄骨１のピッチの自然数ｎ倍となるように形成されており、少なくともｎ≧２となるよう形成されるのが好ましい（本実施形態ではｎ＝３である）。なお、第一矩形板２１の幅，長さ，及び厚さは、特に限定されない。
【００１９】
各第二矩形板２４は、図３に示すように、第一矩形板２１と同様に、正面視矩形状をなしている。各第二矩形板２４は、第一矩形板２１の屋外側の側面（以下、屋外側面という）に重ねられている。各第二矩形板２４は、上下方向および左右方向に隣接する他の第二矩形板２４に突き合わせるようにして配置される。複数の第二矩形板２４は、同一平面上に位置している。なお、各第二矩形板２４は、第一矩形板２１とほぼ同じ構造であり、重複する説明は省略する。
【００２０】
第一矩形板２１は、第二矩形板２４と同じ材質であってもよいし、異なる材質であってもよい。例えば、第一矩形板２１を石膏ボードとし、第二矩形板２４を珪酸カルシウム板としてもよい。一般に、珪酸カルシウム板は石膏ボードよりも耐水性が高い。そのため、第二矩形板２４に珪酸カルシウムを用いることで、外壁構造の耐水性を向上させることができる。
【００２１】
また、各第一矩形板２１の幅は、各第二矩形板２４の幅と同一であることが好ましい。また、各第一矩形板２１の長さは、各第二矩形板２４の長さと同一であることが好ましい。さらに、各第一矩形板２１の厚さは、各第二矩形板２４の厚さと同一であることが好ましい。なお、ここでいう「同一」とは、厳密な意味で同一である必要はなく、例えば、規格上同一とみなすことができれば、「同一」の範疇に含まれるものとする。
【００２２】
耐火ボード２は、次のように形成される。施工者は、図２に示すように、第一矩形板２１を縦鉄骨１の屋外側縦面１１に接触させた状態で、縦鉄骨１に固定する。このとき、施工者は、第一矩形板２１の幅方向に沿った一対の辺（縦辺）を縦鉄骨１に重ねるように配置し、固着具を屋外側から打入して、第一矩形板２１を縦鉄骨１に固定する。次いで、施工者は、別の第一矩形板２１を、既に固定した第一矩形板２１に、端部同士を突き合わせるようにして配置し、既に固定した第一矩形板２１と同様に縦鉄骨１に固定する。このようにして、複数の第一矩形板２１を縦鉄骨１の屋外側側面に沿って順次固定する。
【００２３】
なお、上下方向に並ぶようにして配置された第一矩形板２１同士の横継ぎ目を、第一横継ぎ目２３という。また、左右方向に並ぶようにして配置された第一矩形板２１同士の縦継ぎ目を、第一縦継ぎ目２２という。第一横継ぎ目２３は、外壁構造の左右方向の全長に亙って直線状に形成されている。また、第一縦継ぎ目２２は、外壁構造の上下方向の全長に亙って直線状に形成されている。
【００２４】
次いで、施工者は、第一横継ぎ目２３を覆うようにして、金属テープ２７を第一矩形板２１の屋外側面に貼着する。金属テープ２７は上下方向に幅を有し、左右方向に長さを有している。金属テープ２７は、第一横継ぎ目２３の長手方向の全長に亙って設けられる。
【００２５】
金属テープ２７は、例えば、アルミニウム、鉄鋼などにより構成される。特に、金属テープ２７としては、金属のうちでも比較的安価なアルミニウムテープを用いることが好ましい。これにより、第一矩形板２１が変形し、第一横継ぎ目２３の一部が開いても、金属テープ２７によって継ぎ目の開きを覆うことができる。この結果、耐火性能の低下を抑制することができる。
【００２６】
なお、金属テープ２７は、第一縦継ぎ目２２を覆うようにして第一矩形板２１に貼着されてもよいし、設けられなくてもよい。これは、第一縦継ぎ目２２が縦鉄骨１に重ねられているため、第一縦継ぎ目２２が開いても、耐火性能の低下が僅かなものであるからである。
【００２７】
次いで、施工者は、図３に示すように、第二矩形板２４を、第一矩形板２１の屋外側面に重ねるようにして配置する。このとき施工者は、第二矩形板２４を、その横辺が第一矩形板２１の第一横継ぎ目２３とは上下方向にずれるように配置する。これにより、第二矩形板２４同士の横継ぎ目（以下、第二横継ぎ目２６という）が、第一横継ぎ目２３に対して上下方向に離れて配置される。
【００２８】
また、施工者は、第二矩形板２４を、その縦辺が第一矩形板２１の第一縦継ぎ目２２とは左右方向にずれるように配置する。具体的には、施工者は、第二矩形板２４の縦辺が、第一縦継ぎ目２２に重ねられた縦鉄骨１とは別の縦鉄骨１に正面視で重なるように、第二矩形板２４を配置する。これにより、第二矩形板２４同士の縦継ぎ目（以下、第二縦継ぎ目２５という）が、第一縦継ぎ目２２に対して左右方向に離れて配置される。
【００２９】
このように、本実施形態の耐火ボード２は、第一矩形板２１の第一横継ぎ目２３と第二矩形板２４の第二横継ぎ目２６とが厚さ方向に重ならず、また、第一縦継ぎ目２２と第二縦継ぎ目２５とが厚さ方向に重ならない。このため、本実施形態の耐火ボード２によれば、万が一、いずれかの継ぎ目が開いても、耐火性能の低下を抑制することができる。
【００３０】
このような構成の耐火ボード２の屋外側面には、図４に示すように、断熱ボード４及び外壁３を縦鉄骨１に固定する複数の留め具５が固定される。
【００３１】
複数の留め具５は、耐火ボード２の表面上に配置され、釘やビス等の固着具を介して縦鉄骨１に固定される。各留め具５は、図５に示すように、縦鉄骨１に固定される固定部５１と、断熱ボード４及び外壁３を固定するための留め具本体５３とを備えている。
【００３２】
固定部５１は、耐火ボード２の屋外側面に接した状態で縦鉄骨１に固定され、留め具本体５３を支持する部分である。固定部５１は、正面視矩形状をなしている。固定部５１の中央には、屋外側に突出する突出片５２が設けられている。突出片５２は、留め具本体５３を下方から支持する。
【００３３】
留め具本体５３は、固定部５１に支持固定される。留め具本体５３は、連結部６１と、横面部５４と、保持部６２とを備えており、側面視略クランク状をなしている。連結部６１は、横面部５４の後端部（すなわち、屋内側の端部）から上方に向かって延出している。連結部６１は、固定部５１の屋外側の面に当てられた状態で、リベット等の固着具を介して固定部５１に連結される。横面部５４は、略水平に形成されている。横面部５４は、前後方向に延びており、その上方および下方に断熱ボード４が配置される。横面部５４の前端部（すなわち、屋外側の端部）には、保持部６２が設けられている。
【００３４】
保持部６２は、横面部５４の前端部から上下方向に延出している。保持部６２は、断熱ボード４を保持する断熱材保持部６０と、外壁３を保持する外壁材保持部５７とを備えている。
【００３５】
断熱材保持部６０は、上方に配置される断熱ボード４の下端部を保持すると共に、下方に配置される断熱ボード４の上端部を保持する。これにより、断熱ボード４が耐火ボード２の屋外側面に沿って支持される。断熱材保持部６０は、横面部５４の前端部から下方に延びる矩形板状の下保持片５６と、該下保持片５６の上端左右両端から上方に延びる一対の上下方向に細長い上保持片５５とを備えている。各上保持片５５の上端部は、屋内側に向かって折り返されて丸みを帯びるように湾曲している。そのため、断熱ボード４の下端が上保持片５５と連結部６１との間に導入しやすくなっている。一方、下保持片５６の下端部は、屋内側に向かって折り返されて丸みを帯びるように湾曲している。そのため、断熱ボード４の上端が下保持片５６と連結部６１との間に導入しやすくなっている。
【００３６】
外壁材保持部５７は、下保持片５６の上下方向中央部に形成された横長矩形状の開口部の上端から屋外側に突出するように形成されている。外壁材保持部５７は、上記開口部上端の左右両端部から上方に突出する一対の上突出片５８と、一対の上突出片５８の間において下方に折り曲げられるように設けられた下突出片５９とを備えている。一対の上突出片５８は、その上方に配置される外壁３を構成する外壁材（横張り外壁材３１）の下端に引っ掛かることによって当該上方に配置される横張り外壁材３１を保持する。一方、下突出片５９は、その下方に配置される横張り外壁材３１の上端に引っ掛かって該横張り外壁材３１が屋外側に傾斜するのを防ぐように保持する。
【００３７】
このような構成の留め具５は、図６に示すように、耐火ボード２の複数箇所に固定された状態で、上下方向に対向する留め具５間に断熱ボード４が配置される。なお、図６中の符号９は、耐火ボード２の屋外側面に固定されたであり、外壁３の固定に用いられる。
【００３８】
断熱ボード４は、断熱性を有し、板状をなしている。断熱ボード４は、左右方向に長さを有し、上下方向に幅を有し、正面視矩形状をなしている。断熱ボード４としては、例えば、発泡ポリエチレン系や発泡フェノール系の断熱材や、無機質発泡系の断熱材が用いられる。または、グラスウールやロックウール等の繊維集合体をボードに形成したものを用いてもよい。
【００３９】
断熱ボード４は、弾性を有すると共に、保形性も有している。断熱ボード４は、上下方向に対向する一対の留め具５の断熱材保持部６０に差し込まれて保持される。これにより、断熱ボード４を、耐火ボード２の屋外側に沿って配置することができる。
【００４０】
この状態において、図７に示すように、断熱ボード４の屋外側には、外壁３が設けられる。外壁３は、複数の横張り外壁材３１によって構成されている。外壁３は、この横張り外壁材３１が上下方向に凹凸嵌合し、すなわち上下方向に突き合わせられて構成されている。また、横張り外壁材３１は、左右方向にも突き合わせられている。左右方向に突き合わせた箇所には、例えば、シリコーン系のシーリング材が充填される。
【００４１】
横張り外壁材３１は、上下方向に幅を有し、左右方向に長さを有しており、正面視矩形状をしている。横張り外壁材３１は、例えば、窯業系サイディング材により構成される。なお、横張り外壁材３１は、窯業系サイディング材に限らず、金属サイディング材であってもよい。
【００４２】
横張り外壁材３１の大きさは、例えば、働き幅が３００〜１０００ｍｍであり、また長さが１０００〜３６００ｍｍに形成される。さらに、横張り外壁材３１の厚さは、１２〜４０ｍｍに形成される。
【００４３】
また、横張り外壁材３１は、図７に示すように、上端に嵌合凸部３２が形成され、下端に嵌合凹部３３が形成されている。嵌合凸部３２および嵌合凹部３３は、横張り外壁材３１の長さ方向の全長に亙って形成されている。嵌合凸部３２は、上方に配置された別の横張り外壁材３１の嵌合凹部３３に嵌合する。これにより、上下一対の横張り外壁材３１が連結される。
【００４４】
このような構成の横張り外壁材３１は、留め具５の外壁材保持部５７に支持固定される。外壁材保持部５７は、上突出片５８が嵌合凹部３３を支持し、下突出片５９が嵌合凸部３２を支持する。これにより、横張り外壁材３１は、断熱ボード４の屋外側の側面に沿って固定される。
【００４５】
施工手順としては、先ず、下段の留め具５を耐火ボード２の表面に、耐火ボード２を介して縦鉄骨１に至る固定具により固定する。次に、留め具５に断熱ボード４、横張り外壁材３１の順に、それぞれの下端を支持させる。次に、上段の留め具５を断熱ボード４および横張り外壁材３１のそれぞれの上端を支持するよう設けて、固定具により縦鉄骨１に固定する。このようにして一段分の断熱ボード４および横張り外壁材３１を固定する。以後は、これを繰り返し、下方から上方に向けて順次施工していくものである。
【００４６】
このとき、横張り外壁材３１の横継ぎ目は、第二横継ぎ目２６に対して上下方向にずれている。さらに、横張り外壁材３１の横継ぎ目は、第一横継ぎ目２３に対しても上下方向にずれている。これによって、万が一、横張り外壁材３１の横継ぎ目と第一横継ぎ目２３と第二横継ぎ目２６とが開いた場合であっても、耐火性能の低下を抑制することができる。
【００４７】
このような本実施形態の外壁構造では、図１に示すように、断熱ボード４と外壁３との間に通気隙間７が形成される。通気隙間７は、外気と通じている。通気隙間７の幅（断熱ボード４の厚さ方向と平行な方向の寸法）は、例えば、５ｍｍ〜１５ｍｍに形成される。この通気隙間７は、留め具５の断熱材保持部６０がスペーサとなって形成される。このように、本実施形態の外壁構造では、断熱ボード４と外壁３との間に通気隙間７が形成されているため、横張り外壁材３１の裏側に結露が生じるのを防止でき、断熱ボード４の経時的な劣化を抑制することができる。
【００４８】
また、図８に示すように、本実施形態の外壁構造においては、第一矩形板２１および第二矩形板２４の縦辺の長さＨ１は、横張り外壁材３１の働き幅Ｈ２の２倍に形成されている。また、第一横継ぎ目２３と第二横継ぎ目２６との間の寸法Ｌは、横張り外壁材３１の働き幅Ｈ２と同じである。そして、横張り外壁材３１の働き幅Ｈ２の両端が、それぞれ、第一横継ぎ目２３と第二横継ぎ目２６との間の中央に位置している。
【００４９】
例えば、第一矩形板２１及び第二矩形板２４として、サブロク板（大きさ３尺×６尺、９１０×１８２０ｍｍ）を用いた場合、縦辺の寸法の１／２、すなわち１．５尺だけ、上下方向にずらして配置することができる。また、大きさが１．５尺×１０尺（４５５×３０３０ｍｍ）である横張り外壁材３１を用い、横張り外壁材３１の横辺を、第一矩形板２１の横辺と第二矩形板２４の横辺と間の略中央に位置させる。
【００５０】
これにより、第一矩形板２１の横辺、第二矩形板２４の横辺、及び横張り外壁材３１の長辺のいずれをも厚み方向で重ならないように配置しやすくできる。このとき、第一矩形板２１の横辺、第二矩形板２４の横辺、及び横張り外壁材３１の長辺は、それぞれ、上下方向に約０．７５尺ずつ離れて配置される。
【００５１】
（本実施形態の変形例）
上記実施形態の留め具５は、いわゆるピース状の留め具５であり、左右方向に間隔をおいて複数箇所に配置されているが、例えば、図９に示されるような構造であってもよい。
【００５２】
なお、本変形例において、上記実施形態の構成と対応する構成には、上記実施形態の符号の数字の末尾にアルファベット「ａ」を加えた符号を付し、上記実施形態の構成と変形例の構成とをまとめて示す場合には、数字のみの符号で示す。
【００５３】
本変形例の留め具５ａは、左右方向に延びており、この左右方向の長さが横張り外壁材３１の左右方向の長さと同じとなるように形成されている（つまり、留め具５ａは外壁３の左右方向の略全長に亙って設けられる）。留め具５ａは、固定部５１ａと、固定部５１ａから前方に突出した横面部５４ａと、横面部５４ａの前端から上下方向に延出した保持部６２ａとを備える。保持部６２ａは、横張り外壁材３１を保持する外壁材保持部５７ａと、断熱ボード４を保持する断熱材保持部６０ａとを有している。断熱材保持部６０ａは、上突出片５９ａと下突出片５８ａとを有している。この留め具５ａは、例えば、アルミニウムを押し出し成型することで形成される。
【００５４】
留め具５ａは、左右方向に長尺に形成されているため、取り付けが容易である上に、断熱ボード４の変形を一層抑制することができる。
【００５５】
なお、留め具５ａが外壁３の左右方向の全長に亙って設けられる場合、通気隙間７を確保するために、保持部６２ａを上下方向に貫通する複数の貫通孔６３を設けることが好ましい。これにより、保持部６２ａの下方の通気隙間７と、上方の通気隙間７とを連通するため、断熱ボード４と外壁３との間の通気を確保することができる。
【００５６】
この変形例の留め具５ａは、図１０のようにして取り付けられることが好ましい。すなわち、留め具５ａは、固定部５１ａが第二横継ぎ目２６を跨ぐようにして第二矩形板２４の表面に配置され、固着具を介して、第二矩形板２４に固定される。ここで、「第二矩形板２４に固定される」とは、固着具が第二矩形板２４だけに打ち込まれる場合だけでなく、耐火ボード２を貫通して縦鉄骨に打ち込まれる場合も含む。
【００５７】
そして、図１１に示すように、留め具５ａ間に断熱ボード４が設置され、さらに、横張り外壁材３１が設置される。
【００５８】
このように、左右方向に長尺な留め具５ａが第二横継ぎ目２６を上下方向に跨ぐようにして取り付けられると、万が一、第二横継ぎ目２６が開いた場合にも、開いた継ぎ目を覆うことができ、この結果、耐火性能の低下を防ぐことができる。また、留め具５ａを金属により構成すれば、留め具５ａの剛性によって、強熱による第二矩形板２４の縁部の変形も抑制することができる。
【００５９】
また、図１２，１３に示すように、ピース状の留め具５に加えて、横長補強材８を取り付けてもよい。
【００６０】
図１２に示すように、横長補強材８は、第二横継ぎ目２６を上下方向に跨ぐようにして取り付けられる。横長補強材８は、例えば、金属板を曲げ加工することで形成される。横長補強材８は、左右方向に長尺であるが、具体的には、左右方向の長さが横張り外壁材３１の長さと同じであることが好ましい。
【００６１】
横長補強材８は、第二矩形板２４に固定される固着部８１と、固着部８１の下方に設けられた一対の突条部８２と、突条部８２の間に設けられた覆い部８３とを備える。固着部８１は、第二矩形板２４に固定される。ここで、「第二矩形板２４に固定される」とは、固着具が第二矩形板２４だけに打ち込まれる場合だけでなく、耐火ボード２を貫通して縦鉄骨１に打ち込まれる場合も含む。また、一対の突条部８２は、図１３に示すように、断熱ボード４の屋内側面に当たっている。覆い部８３は、第二横継ぎ目２６を屋外側から覆う。
【００６２】
横長補強材８は、図１２に示すように、第二横継ぎ目２６を上下方向に跨ぐようにして、第二矩形板２４に固定される。そして、図１３に示すように、留め具５に断熱ボード４が設置され、さらに、横張り外壁材３１が設置される。
【００６３】
このように、左右方向に長尺な横長補強材８が第二横継ぎ目２６を上下方向に跨ぐようにして取り付けられることにより、万が一、第二横継ぎ目２６が開いた場合にも、開いた継ぎ目を覆うことができる。この結果、耐火性能の低下を防ぐことができる。また、横長補強材８は金属製である上に突条部８２が設けられているため、剛性が高い。したがって、強熱による第二矩形板２４の縁部の変形も抑制することができる。
−本発明の実施形態に係る外壁構造の特徴−
以上、説明したように、本実施形態の外壁構造は、次の第１の特徴を備える。第１の特徴では、左右方向に間隔をおいて配置された複数の縦鉄骨１と、この複数の縦鉄骨１の屋外側に設けられた耐火ボード２と、この耐火ボード２の屋外側に設けられた断熱ボード４と、この断熱ボード４の屋外側に設けられた外壁３とを備える。
【００６４】
この第１の特徴を有する外壁構造によれば、耐火ボード２と外壁３との間に断熱ボード４が設けられているため、縦鉄骨１同士の間だけでなく、縦鉄骨１が位置する箇所においても断熱性能を付与することができる。また、保形性を有する断熱ボード４を用いるため、施工性を向上させることができる。
【００６５】
また、縦鉄骨１同士の間には、必ずしも断熱材を配置する必要がないため、縦鉄骨１間に断熱材を配置しない場合には内装材を設けなくてもよい。この場合、内装材を省くことができるため、部品点数を抑制することもできる。
【００６６】
また、本実施形態の外壁構造は、以下に示す第２〜１３の特徴を有することが好ましい。なお、この第２〜１２の特徴は、本発明に必ずしも必要な構成ではなく、任意の構成である。
【００６７】
第２の特徴では、第１の特徴において、外壁３と断熱ボード４との間には、外気と通じる通気隙間７が形成される。
【００６８】
第２の特徴を有する外壁構造によれば、外壁３の裏側に結露が発生するのを防ぐことができ、断熱ボード４の劣化を防ぐことができる。
【００６９】
また、第３の特徴では、第１または第２の特徴において、耐火ボード２は、縦鉄骨１の屋外側において互いに突き合わせた状態で同一平面上に設けられた複数の第一矩形板２１と、第一矩形板２１の屋外側面に重ねられ、それぞれが互いに突き合わせられた複数の第二矩形板２４とを備える。上下方向に並ぶ第一矩形板２１同士の横継ぎ目である第一横継ぎ目２３が、上下方向に並ぶ第二矩形板２４同士の横継ぎ目である第二横継ぎ目２６とは上下方向にずれている。外壁３は、複数の横張り外壁材３１が上下方向に突き合わせられたものである。そして、上下方向に突き合わせられた横張り外壁材３１同士の横継ぎ目が、第二横継ぎ目２６に対して上下方向にずれている。
【００７０】
第３の特徴を有する外壁構造によれば、万が一、第一矩形板２１または第二矩形板２４に収縮や膨張が生じ、第一横継ぎ目２３または第二横継ぎ目２６が開いても、耐火性能の低下を抑制することができる。
【００７１】
また、第４の特徴では、第３の特徴において、横張り外壁材３１同士の横継ぎ目が、第一横継ぎ目２３に対しても上下方向にずれている。
【００７２】
第４の特徴を有する外壁構造によれば、万が一、横張り外壁材３１同士の横継ぎ目と、第一横継ぎ目２３がいずれも開いても、横張り外壁材３１同士の横継ぎ目の屋内側には、第一矩形板２１と第二矩形板２４とが確実に存在するため、より一層、耐火性能の低下を抑制することができる。
【００７３】
また、第５の特徴では、第３または第４の特徴において、耐火ボード２は、第一矩形板２１同士の縦継ぎ目である第一縦継ぎ目２２が前記縦鉄骨１に重ねられる。また、第二矩形板２４同士の縦継ぎ目である第二縦継ぎ目２５が、第一縦継ぎ目２２に重ねられた縦鉄骨１とは別の縦鉄骨１に重ねられる。
【００７４】
第５の特徴を有する外壁構造によれば、第一縦継ぎ目２２または第二縦継ぎ目２５が開いても、縦鉄骨１によって覆われるため、耐火性能の低下を抑制することができる。
【００７５】
また、第６の特徴では、第１〜５のいずれかの特徴において、外壁３と断熱ボード４とを縦鉄骨１に固定する留め具５をさらに備える。
【００７６】
第６の特徴を有する外壁構造によれば、留め具５によって、外壁３と断熱ボード４とを固定できるため、施工性が向上する。
【００７７】
また、第７の特徴では、第３〜６のいずれかの特徴において、第一矩形板２１および第二矩形板２４は、上下長さが横張り外壁材３１の働き幅の２倍である。第一横継ぎ目２３と第二横継ぎ目２６は、上下方向に、働き幅と同じ長さずれている。横張り外壁材３１の働き幅の両端が、第一横継ぎ目２３と前記第二横継ぎ目２６との間の中央に位置する。なお、ここでいう「２倍」とは、厳密な意味での２倍ではなく、おなじ作用効果を奏する範囲であれば、多少の多寡にかかわらず「２倍」であるとみなす。また、「働き幅と同じ長さ」とは、厳密な意味での同じ長さでなくてもよく、同じ長さとみなせる範囲であれば、大きくても小さくてもよいものとする。さらに、「中央」とは、厳密に中央でなくてもよく、中央とみなせる範囲にあればよい。
【００７８】
第７の特徴を有する外壁構造によれば、第一矩形板２１の横辺、第二矩形板２４の横辺、横張り外壁材３１の長辺とのいずれをも厚み方向で重ならないように配置しやすくできる。
【００７９】
また、第８の特徴では、第３〜７のいずれかの特徴において、第一横継ぎ目２３が全長に亙って金属テープ２７によって覆われる。
【００８０】
第８の特徴を有する外壁構造によれば、万が一、第一横継ぎ目２３が開いても、その継ぎ目を金属テープ２７によって覆うことができて、耐火性能の低下を抑制できる。
【００８１】
また、第９の特徴では、第３〜８のいずれかの特徴において、第一矩形板２１及び第二矩形板２４の厚みがいずれも１５ｍｍである。なお、１５ｍｍとは、厳密に１５ｍｍである必要はなく、規格上、１５ｍｍとみなせる範囲を含む。
【００８２】
第９の特徴を有する外壁構造によれば、規格品である１５ｍｍの矩形板２枚を用いて耐火ボード２を形成することができる。この結果、矩形板が現場で扱いやすく、運搬性や施工性を向上させることができる。
【００８３】
また、第１０の特徴では、第６の特徴において、留め具５の左右方向の長さが、横張り外壁材３１の左右方向の長さと同じである。なお、ここでいう「同じ」とは、厳密な意味での同じ長さでなくてもよく、同じ長さとみなせる範囲であれば、大きくても小さくてもよいものとする。
【００８４】
第１０の特徴を有する外壁構造によれば、施工性を向上できる上に、断熱ボード４の変形を抑制することができる。
【００８５】
また、第１１の特徴では、第３〜１０の特徴において、第二横継ぎ目２６を跨ぐようにして第二矩形板２４に固定された横長補強材８が設けられる。なお、ここでいう、「第二矩形板２４に固定された」とは、固着具が第二矩形板２４だけに打ち込まれる場合だけでなく、第二矩形板２４を貫通して縦鉄骨に打ち込まれ、これによって第二矩形板２４の表面に固定されている場合も含む。
【００８６】
第１１の特徴を有する外壁構造によれば、万が一、第二横継ぎ目２６が開いた場合にも、開いた継ぎ目を横長補強材８によって覆うことができ、この結果、耐火性能の低下を防ぐことができる。また、横長補強材８の剛性によって、第二矩形板２４の縁部の変形も抑制することができる。
【００８７】
また、第１２の特徴では、第６の特徴において、留め具５が、第二横継ぎ目２６を跨ぐようにして第二矩形板２４に固定される。
【００８８】
第１２の特徴を有する外壁構造によれば、万が一、第二横継ぎ目２６が開いた場合にも、開いた継ぎ目を留め具５によって覆うことができ、この結果、耐火性能の低下を防ぐことができる。
【００８９】
なお、本実施形態の外壁構造では、縦鉄骨１間に断熱材を配置していないが、本実施形態の外壁構造に加えて、縦鉄骨１間に断熱材を配置してもよい。これにより、断熱性能をより向上させることが可能である。
【符号の説明】
【００９０】
１      縦鉄骨
１１    縦鉄骨の屋外側縦面
２      耐火ボード
２１    第一矩形板
２２    第一縦継ぎ目
２３    第一横継ぎ目
２４    第二矩形板
２５    第二縦継ぎ目
２６    第二横継ぎ目
２７    金属テープ
３      外壁
３１    外壁材
３２    嵌合凸部
３３    嵌合凹部
４      断熱ボード
５      留め具
５ａ    留め具
５１    固定部
５２    突出片
５３    留め具本体
５４    横面部
５５    上保持片
５６    下保持片
５７    外壁材保持部
６０    断熱材保持部
６１    連結部
６２    保持部
７      通気隙間
８      横長補強材
【図１】
0006639083.tif 000002
【図２】
0006639083.tif 000003
【図３】
0006639083.tif 000004
【図４】
0006639083.tif 000005
【図５】
0006639083.tif 000006
【図６】
0006639083.tif 000007
【図７】
0006639083.tif 000008
【図８】
0006639083.tif 000009
【図９】
0006639083.tif 000010
【図１０】
0006639083.tif 000011
【図１１】
0006639083.tif 000012
【図１２】
0006639083.tif 000013
【図１３】
0006639083.tif 000014